(57)【特許請求の範囲】
【請求項１】
複数台の中継機器が間に空間を形成して上下一列に実装されるラックに装着して使用されるケーブルサポート金具（１０；２０）であって、
横長の板状の本体（１１；２１）と、
一方のヒンジ片が前記本体の表面の左右両端にそれぞれ固定された第１および第２のヒンジ（１２1，１２2；２２1，２２2）と、
前記本体の表面に該本体の長手方向に沿って所定の間隔をもって一列に固定された複数個のケーブル保持部（１３1〜１３4；２３1〜２３4）とを具備し、
前記ケーブルサポート金具が、前記第１および第２のヒンジの他方のヒンジ片が前記ラックに取外し可能に固定されることにより、前記ラックの前記空間に装着される、
ことを特徴とする、ケーブルサポート金具。
【請求項２】
前記複数個のケーブル保持部（１３1〜１３4）がそれぞれ、一辺の中央部が開口部とされた矩形枠の形状を有するとともに、該開口部を有する一辺と対向する一辺が前記本体（１１）の表面に固定されていることを特徴とする、請求項１記載のケーブルサポート金具。
【請求項３】
前記複数個のケーブル保持部（２３1〜２３4）がそれぞれ、コの字形状を有するとともに、開口部が上となるように前記本体（２１）の表面に固定されていることを特徴とする、請求項２記載のケーブルサポート金具。
【発明の詳細な説明】
【技術分野】
【０００１】
本発明は、ケーブルサポート金具に関し、特に、複数台の中継機器が間に空間を形成して上下一列に実装されるラックに装着するのに好適なケーブルサポート金具に関する。
【背景技術】
【０００２】
従来、ネットワーク用の中継機器の一つであるレイヤツースイッチ（Ｌ２ＳＷ）１は、図７に示すように、レイヤツースイッチ１のＬＡＮケーブル３などが接続される接続ポートが設けられている面（以下、「表面」と称する。）の左右両端をラック２（１９インチラックなど）にネジ止めすることにより、ラック２に実装されている。
また、複数台のレイヤツースイッチ１を１つのラック２に実装する場合には、レイヤツースイッチ１は、上下に詰めて実装されることは少なく、レイヤツースイッチ１の冷却や交換のために、隣り合うレイヤツースイッチ１の間に空間を形成して上下一列に実装される場合が多い。
【０００３】
このようにレイヤツースイッチ１はレイヤツースイッチ１の表面の左右両端をネジ止めしてラック２に実装されているため、故障時にレイヤツースイッチ１を新しいレイヤツースイッチ１に交換する場合には、故障したレイヤツースイッチ１の表面の左右両端をラック２に固定しているネジを外して、故障したレイヤツースイッチ１をラック２から上記空間を通して抜き出したのち、新しいレイヤツースイッチ１をラック２に上記空間を通して挿入し、新しいレイヤツースイッチ１の表面の左右両端をラック２にネジ止めすることにより新しいレイヤツースイッチ１をラック２に実装している。
【０００４】
なお、下記の特許文献１には、Ｌ字状のケーブル保持部を有するコ字状のケーブル保持構造部が、筐体に固定された支柱にヒンジおよびヒンジ固定具を介して支持されて構成されており、電子アセンブリに直接接続される装置間ケーブルのケーブルコネクタに連なる部分がケーブル保持部によって支持され、ケーブルソケットとケーブルコネクタとの嵌合を外しヒンジ固定具を外すと、ケーブル保持構造部が支柱に対して直角の位置まで回転可能となり、電子アセンブリのケーブルソケットの背面側に電子アセンブリを挿抜するための空間を形成可能とすることにより、電子装置内の電子アセンブリに直接接続される装置間ケーブルを電子装置内で確実に保持するとともに、電子アセンブリの交換時に電子アセンブリの挿拔のための空間を容易に確保するようにしたケーブル保持構造体が開示されている。
【先行技術文献】
【特許文献】
【０００５】
【特許文献１】特開平５−２２６８５４号公報
【発明の概要】
【発明が解決しようとする課題】
【０００６】
しかしながら、レイヤツースイッチ１の表面に設けられた接続ポートに接続されるＬＡＮケーブル３（図３参照）などはラック２の下方からレイヤツースイッチ１の表面に沿って横方向に配線されているため、故障時などにレイヤツースイッチ１をラック２から抜き出す際に、レイヤツースイッチ１の接続ポートから外したＬＡＮケーブル３などが邪魔になり、レイヤツースイッチ１の交換作業がやりにくいという問題があった。
【０００７】
なお、上記特許文献１に開示されているケーブル保持構造体を用いてレイヤツースイッチ１の交換時にレイヤツースイッチ１の挿拔のための空間を確保しようとすると、ケーブル保持構造体をヒンジおよびヒンジ固定具を介して支えるための２つの支柱をラック２の左右両側にそれぞれ取り付ける必要があるが、ラック２の左右両側に他のラック２などが配設されている場合には、ラック２の左右両側にこのような支柱を設けることはできないという問題がある。
【０００８】
本発明の目的は、間に空間を形成して上下一列にラックに実装された中継機器の交換作業を容易に行うことができるケーブルサポート金具を提供することにある。
【課題を解決するための手段】
【０００９】
本発明のケーブルサポート金具は、複数台の中継機器が間に空間を形成して上下一列に実装されるラックに装着して使用されるケーブルサポート金具（１０；２０）であって、横長の板状の本体（１１；２１）と、一方のヒンジ片が前記本体の表面の左右両端にそれぞれ固定された第１および第２のヒンジ（１２1，１２2；２２1，２２2）と、前記本体の表面に該本体の長手方向に沿って所定の間隔をもって一列に固定された複数個のケーブル保持部（１３1〜１３4；２３1〜２３4）とを具備し、前記ケーブルサポート金具が、前記第１および第２のヒンジの他方のヒンジ片が前記ラックに取外し可能に固定されることにより、前記ラックの前記空間に装着されることを特徴とする。
ここで、前記複数個のケーブル保持部（１３1〜１３4）がそれぞれ、一辺の中央部が開口部とされた矩形枠の形状を有するとともに、該開口部を有する一辺と対向する一辺が前記本体（１１）の表面に固定されていてもよい。
前記複数個のケーブル保持部（２３1〜２３4）がそれぞれ、コの字形状を有するとともに、開口部が上となるように前記本体（２１）の表面に固定されていてもよい。
【発明の効果】
【００１０】
本発明のケーブルサポート金具は、以下に示す効果を奏する。
（１）本発明のケーブルサポート金具では、中継機器の交換時に、故障した中継機器から外したＬＡＮケーブルなどを故障した中継機器をラックから引き出すのに邪魔にならない場所に移動させることができるため、中継機器の交換作業を容易に行うことができる。
（２）本発明のケーブルサポート金具では、ケーブルサポート金具によってＬＡＮケーブルなどを整理することができるため、中継機器の交換後のＬＡＮケーブルなどの接続ミスが生じる可能性を小さくすることができる。
（３）本発明のケーブルサポート金具では、ケーブルサポート金具によって光ケーブルを整理することもできるため、中継機器の交換時に光ケーブルに無理な力が掛かって断線することを防止することができる。
【図面の簡単な説明】
【００１１】
【図１】本発明の第１の実施例によるケーブルサポート金具１０の構成を示す図である。
【図２】図１に示したケーブルサポート金具１０をラック２に装着した状態を示す図である。
【図３】図１に示したケーブルサポート金具１０の使用方法の一例について説明するための図である。
【図４】図１に示したケーブルサポート金具１０の変形例であるケーブルサポート金具２０の構成を示す図である。
【図５】本発明の第２の実施例によるケーブルサポート金具３０の構成を示す図である。
【図６】図５に示したケーブルサポート金具３０の使用方法の一例について説明するための図である。
【図７】レイヤツースイッチ１のラック２への固定方法について説明するための図である。
【発明を実施するための形態】
【００１２】
上記の目的を、横長の板状の本体の表面の左右両端に第１および第２のヒンジの一方のヒンジ片をそれぞれ固定し、本体の表面に複数個のケーブル保持部を本体の長手方向に沿って所定の間隔をもって一列に固定して構成されたケーブルサポート金具を、第１および第２のヒンジの他方のヒンジ片をラックに取外し可能に固定してラックの隣り合う中継機器間の空間に装着することにより実現した。
【実施例１】
【００１３】
以下、本発明のケーブルサポート金具の実施例について図面を参照して説明する。
まず、本発明の第１の実施例によるケーブルサポート金具１０について、図１乃至図３を参照して説明する。
【００１４】
本実施例によるケーブルサポート金具１０は、図１に示すように、横長の板状の本体１１と、２つのヒンジ片およびヒンジ軸を備えた平型ヒンジである第１および第２のヒンジ１２1，１２2と、本体１１の表面に本体１１の長手方向（横方向）に沿って所定の間隔をもって一列に固定された第１乃至第４のケーブル保持部１３1〜１３4とを具備する。
【００１５】
ここで、第１および第２のヒンジ１２1，１２2の一方のヒンジ片は、本体１１の表面の左右両端にそれぞれネジで固定されている。
また、第１および第２のヒンジ１２1，１２2の他方のヒンジ片は、ラック２に１本ずつの取付ネジで取外し可能に固定される。すなわち、ケーブルサポート金具１０は、常時は、図２に示すようにラック２の上下に隣り合うレイヤツースイッチ１間に形成された空間に装着される。
【００１６】
第１のケーブル保持部１３1は、一辺の中央部が開口部とされた矩形枠の形状を有する。また、第１のケーブル保持部１３1は、ＬＡＮケーブル３などを本体１１の表面に向かって第１のケーブル保持部１３1の開口部から矩形枠内に挿入することができるように、開口部を有する一辺と対向する一辺が本体１１の表面にネジ止めされることにより、本体１１の表面に固定されている。
第２乃至第４のケーブル保持部１３2〜１３4も第１のケーブル保持部１３1と同様に構成されている。
これにより、ＬＡＮケーブル３などを第１乃至第４のケーブル保持部１３1〜１３4のうちの少なくとも１つの開口部から矩形枠内に挿入することにより、ＬＡＮケーブル３などを第１乃至第４のケーブル保持部１３1〜１３4の少なくとも１つで保持しながら本体１１の長手方向に沿って配線することができる（図３参照）。
【００１７】
以上のように構成されたケーブルサポート金具１０では、第２のヒンジ１２2のヒンジ片のみをラック２から取り外すことにより、第１乃至第４のケーブル保持部１３1〜１３4によってＬＡＮケーブル３などを保持したまま第１のヒンジ１２1のヒンジ軸を中心としてケーブルサポート金具１０の本体１１および第２のヒンジ１２2を回転させることができ、また、第１のヒンジ１２1のヒンジ片のみをラック２から取り外すことにより、第１乃至第４のケーブル保持部１３1〜１３4によってＬＡＮケーブル３などを保持したまま第２のヒンジ１２2のヒンジ軸を中心としてケーブルサポート金具１０の本体１１および第１のヒンジ１２1を回転させることができる。
【００１８】
なお、ケーブルサポート金具１０の寸法は、たとえば縦４４ｍｍおよび横４８２．５ｍｍとされており、第１および第２のヒンジ１２1，１２2の横方向の長さは、たとえば５０ｍｍとされている。
また、第１乃至第４のケーブル保持部１３1〜１３4の寸法は、最大で２０本程度のＬＡＮケーブル３などを保持することができるように、たとえば縦（開口部を有する一辺の長さ）４４ｍｍおよび横７０ｍｍとされている。
【００１９】
次に、本実施例によるケーブルサポート金具１０の使用方法の一例について、図３を参照して説明する。
なお、説明の簡単のために、レイヤツースイッチ１へは３本のＬＡＮケーブル３のみが接続されており（実際には、レイヤツースイッチ１へは光ケーブルや電源コードや４本以上のＬＡＮケーブル３が接続されている。）、この３本のＬＡＮケーブル３はラック２の図３図示左側下方から配線されているものとする。
また、図面の簡単のために、レイヤツースイッチ１の下に実装されているレイヤツースイッチ１は省略している。
【００２０】
レイヤツースイッチ１に故障が生じて新しいレイヤツースイッチ１に交換する必要が生じた場合には、作業員は、故障したレイヤツースイッチ１の接続ポートからＬＡＮケーブル３を１本ずつ外していく。このとき、外されたＬＡＮケーブル３は、ケーブルサポート金具１０の第１乃至第４のケーブル保持部１３1〜１３4によって保持されたままとなるため、下には落ちない。
【００２１】
すべてのＬＡＮケーブル３を外し終わると、作業員は、ケーブルサポート金具１０の第２のヒンジ１２2（第１および第２のヒンジ１２1，１２2のうちＬＡＮケーブル３がラック２の下方から配線されていない方）の他方のヒンジ片をラック２に固定している取付ネジを緩めて第２のヒンジ１２2の他方のヒンジ片をラック２から取り外したのち、第１乃至第４のケーブル保持部１３1〜１３4によってＬＡＮケーブル３を保持したまま第１のヒンジ１２1のヒンジ軸を中心としてケーブルサポート金具１０の本体１１および第２のヒンジ１２2を回転させる（図３の矢印参照）。
これにより、ラック２のレイヤツースイッチ１の下方に、レイヤツースイッチ１をラック２から抜き出すための空間が確保される。
【００２２】
続いて、作業員は、レイヤツースイッチ１の下方の確保された空間に片手を差し込んでレイヤツースイッチ１の底面を支えながら、レイヤツースイッチ１をラック２に固定しているネジをすべて取り外したのち、新たなレイヤツースイッチ１を両手で持って、レイヤツースイッチ１をラック２から取り出す。
これにより、作業員はＬＡＮケーブル３に邪魔されることなくレイヤツースイッチ１をラック２から取り出すことができる。
【００２３】
続いて、作業員は、新たなレイヤツースイッチ１の底面を両手で持って、レイヤツースイッチ１の下方の確保された空間から新たなレイヤツースイッチ１をラック２に差し込んだのち、新たなレイヤツースイッチ１の底面を片手で支えながら、新たなレイヤツースイッチ１をラック２にネジで固定する。
【００２４】
続いて、作業員は、第１乃至第４のケーブル保持部１３1〜１３4によってＬＡＮケーブル３を保持したまま第１のヒンジ１２1のヒンジ軸を中心としてケーブルサポート金具１０の本体１１および第２のヒンジ１２2を図３に矢印で示す方向と逆方向に回転させたのち、第２のヒンジ１２2の他方のヒンジ片をラック２に取付ネジで固定する。
【００２５】
続いて、作業員は、第１乃至第４のケーブル保持部１３1〜１３4によって保持されているＬＡＮケーブル３を新たなレイヤツースイッチ１の該当の接続ポートに１本ずつ接続していく。
【００２６】
以上では、ケーブルサポート金具１０をラック２に常時装着しておく場合を例として説明したが、レイヤツースイッチ１の交換時にケーブルサポート金具１０をラック２に装着してＬＡＮケーブル３などを第１乃至第４のケーブル保持部１３1〜１３4によって保持させ、レイヤツースイッチ１の交換が終了するとＬＡＮケーブル３などを第１乃至第４のケーブル保持部１３1〜１３4から取り出したのちにケーブルサポート金具１０をラック２から取り外すようにしてもよい。
【００２７】
また、ケーブルサポート金具１０は、一辺の中央部が開口部とされた矩形枠の形状を有する第１乃至第４のケーブル保持部１３1〜１３4を具備したが、図４に示すケーブルサポート金具２０のように、第１乃至第４のケーブル保持部１３1〜１３4の代わりに、第１乃至第４のケーブル保持部１３1〜１３4の上半分を切り取った形状を有する（すなわち、コの字形状を有する）第１乃至第４のケーブル保持部２３1〜２３4を具備するようにしてもよい。
ここで、第１乃至第４のケーブル保持部２３1〜２３4はそれぞれ、開口部が上となるように本体２１の表面にネジで固定されている。
【実施例２】
【００２８】
次に、本発明の第２の実施例によるケーブルサポート金具３０について、図５および図６を参照して説明する。
本実施例によるケーブルサポート金具３０は、図５に示すように、上板および側板からなるかつ側板が外側にされた第１のＬ型レール３２1と、上板および側板からなるかつ側板が外側にされた第２のＬ型レール３２2と、第１のＬ型レール３２1の一方の端部と第２のＬ型レール３２2の一方の端部との間に取り付けられたケーブル保持棒３１とを具備する。
【００２９】
ここで、第１および第２のＬ型レール３２1，３２2の側板は下向きにされている。また、第１および第２のＬ型レール３２1，３２2の側板のケーブル保持棒３１が取り付けられる側の端面には、ケーブルサポート金具３０をラック２に固定するためのネジ穴が１つずつ形成されている。
【００３０】
ケーブル保持棒３１は、一方の端面が第１のＬ型レール３２1の上板の下面に固定されたＬ型の第１の支持棒と、一方の端面が第２のＬ型レール３２2の上板の下面に固定されたＬ型の第２の支持棒と、第１および第２のＬ型レール３２1，３２2よりも飛び出すように一端が第１の支持棒の他方の端面に固定されるとともに他端が第２の支持棒の他方の端面に固定された保持棒とからなる。
これにより、ケーブル保持棒３１は、第１および第２のＬ型レール３２1，３２2がラック２に固定されることにより、ラック２に実装されたレイヤツースイッチ１の表面よりも飛び出すように、ラック２の上下に隣り合うレイヤツースイッチ１間に形成された空間に装着される。
なお、ケーブルサポート金具３０は、第１および第２のＬ型レール３２1，３２2の第１および第２の上板がレイヤツースイッチ１の底面に接するようにラック２に装着される。
【００３１】
次に、本実施例によるケーブルサポート金具３０の使用方法の一例について、図６を参照して説明する。
なお、説明の簡単のために、レイヤツースイッチ１へは５本のＬＡＮケーブル３のみが接続されており（実際には、レイヤツースイッチ１へは光ケーブルや電源コードや６本以上のＬＡＮケーブル３が接続されている。）、この５本のＬＡＮケーブル３はラック２の図６図示左側下方から配線されているとともに５本の結束バンド３３によってケーブル保持棒３１の保持棒に保持されてケーブル保持棒３１の長手方向に沿って配線されているものとする。
【００３２】
レイヤツースイッチ１に故障が生じて新しいレイヤツースイッチ１に交換する必要が生じた場合には、作業員は、故障したレイヤツースイッチ１の接続ポートからＬＡＮケーブル３を１本ずつ外していく。このとき、外されたＬＡＮケーブル３は、ケーブルサポート金具３０のケーブル保持棒３１の保持棒によって保持されているため、下に落ちない（図６図示右端のＬＡＮケーブル３参照）。
【００３３】
すべてのＬＡＮケーブル３を外し終わると、作業員は、レイヤツースイッチ１の底面とケーブル保持棒３１の保持棒との間の空間に片手を差し込んでレイヤツースイッチ１の底面を支えながら、レイヤツースイッチ１をラック２に固定しているネジをすべて取り外したのち、レイヤツースイッチ１をラック２から取り出す。
【００３４】
続いて、作業員は、新たなレイヤツースイッチ１を両手で持って、レイヤツースイッチ１の底面とケーブル保持棒３１の保持棒との間の空間から新たなレイヤツースイッチ１をラック２に差し込んだのち、レイヤツースイッチ１の底面を片手で支えながら、新たなレイヤツースイッチ１をラック２にネジで固定する。
【００３５】
続いて、作業員は、ケーブル保持棒３１の保持棒によって保持されているＬＡＮケーブル３を新たなレイヤツースイッチ１の接続ポートに１本ずつ接続していく。
【符号の説明】
【００３６】
１  レイヤツースイッチ
２  ラック
３  ＬＡＮケーブル
１０，２０，３０  ケーブルサポート金具
１１，２１  本体
１２1，１２2，２２1，２２2  第１および第２のヒンジ
１３1〜１３4，２３1〜２３4  第１乃至第４のケーブル保持部
３１  ケーブル保持棒
３２1，３２2  第１および第２のＬ型レール
３３  結束バンド
【図１】
0005512304.tif 000002
【図２】
0005512304.tif 000003
【図３】
0005512304.tif 000004
【図４】
0005512304.tif 000005
【図５】
0005512304.tif 000006
【図６】
0005512304.tif 000007
【図７】
0005512304.tif 000008